(57)【要約】【課題】噴射ノズルが開状態にあるか閉状態にあるかをシュラウドの外側から目視でもって簡単に識別できるトリガー式の噴出器を提案する。【解決手段】操作レバーを複数回にわたって繰り返し牽曳して容器内の液体を吸引、加圧するポンプを備えたボディと、このボディに回動自在に保持され該ボディの送給経路を経て圧送された液体を外界に向けて噴出する噴射ノズルと、この噴射ノズルに片持ち保持され該噴射ノズルを回動させることによって開状態または閉状態に選択的に切り換えるロックアームとを備えたトリガー式液体噴出器において、前記ボディに、そのほぼ全域を噴射ノズルとともに覆い隠すシュラウドを配置し、このシュラウドに、噴射ノズルの回動に伴うロックアームの移動を許容する細長い切り欠と、噴射ノズルの開状閉状態をそれぞれ表示する窓孔を設ける。【選択図】        図１
2004230326.tif 000002
【特許請求の範囲】
【請求項１】
操作レバーを複数回にわたって繰り返し牽曳して容器内の液体を吸引、加圧するポンプを備えたボディと、このボディに回動自在に保持され該ボディの送給経路を経て圧送された液体を外界に向けて噴出する噴射ノズルと、この噴射ノズルに片持ち保持され該噴射ノズルを回動させることによって開状態または閉状態に選択的に切り換えるロックアームとを備えたトリガー式液体噴出器であって、
前記ボディに、そのほぼ全域を噴射ノズルとともに覆い隠すシュラウドを配置し、
このシュラウドに、噴射ノズルの回動に伴うロックアームの移動を許容する細長い切り欠と、噴射ノズルの開閉状態をそれぞれ表示する窓孔を設けたことを特徴とするトリガー式液体噴出器。
【請求項２】
前記ロックアームは、噴射ノズルの閉状態で操作レバーとボディとの相互間に介在して操作レバーの牽曳を阻止する係止片を有する、請求項１記載のトリガー式液体噴出器。
【請求項３】
切り欠は、噴射ノズルの開状態でロックアームをシュラウドに係止する係止片を有する、請求項１又は２記載のトリガー式液体噴出器。
【請求項４】
噴射ノズルの開閉状態を表示する印字は、噴射ノズルの外面またはロックアームの基部に有するものである、請求項１〜３の何れかに記載のトリガー式液体噴出器。
【請求項５】
印字は、噴射ノズルの開閉状態のそれぞれで異なる色彩を有する請求項４記載のトリガー式液体噴出器。
【発明の詳細な説明】
【０００１】
【発明の属する技術分野】
本発明はボディを噴射ノズルとともに覆い隠すシュラウドを備えたトリガー式液体噴出器に関するものであり、噴射ノズルが開状態にあるか閉状態にあるかをシュラウドの外側から目視によって簡単に識別しようとするものである。
【０００２】
【従来の技術】
黴び取り剤や洗剤、整髪剤、芳香剤等を入れた容器に用いられているトリガー式噴出器は、噴射ノズルを装着したボディに、液体の吸引、加圧、圧送を司るポンプ機構が組み込まれており、操作レバーの牽曳にてポンプ機構内のピストンをシリンダ内で往復動させることによって内容物の効率的な排出を可能にしている。
【０００３】
上記構成部材のうち、噴射ノズルは、ボディに回動可能に保持されており、該噴射ノズルに付随させたロックアームで噴射ノズルを選択的に回動させることでノズルの開閉が可能であり、ボディには、普通、その保護を目的としてシュラウドが配置されている。
【０００４】
また、近年では、その基本構成を同じくするがシュラウドを噴射ノズルの先端部分まで延長させて該噴射ノズルも合わせて保護する構造の噴出器も提案されている（例えば特許文献１参照）。
【０００５】
【特許文献１】
特開２０００−２３３１４５号公報
【０００６】
【発明が解決しようとする課題】
シュラウドがボディのみを覆うタイプの噴出器は、噴射ノズルが開状態にあるか、閉状態にあるかを表示する印字をその外表面に設けることが可能なのでロックアームがどこに位置するかにかかわりなくその開閉状態を識別できとくに問題はないものの、シュラウドが噴射ノズルをも覆うタイプの噴出器は、ロックアームのみがシュラウドから突出していることから、噴射ノズルが開状態にあるか閉状態にあるかは、ロックレバーがどの位置にあるかでしか判断できないところに問題を残していた。
【０００７】
本発明の課題は、噴射ノズル及びボディをシュラウドによって覆った液体噴出器につき、噴射ノズルが開状態にあるか、閉状態にあるかを、ロックレバーの位置のみならず印字を目視することによって簡単かつ確実に識別できる新規な構造について提案する。
【０００８】
【課題を解決するための手段】
本発明は、操作レバーを複数回にわたって繰り返し牽曳して容器内の液体を吸引、加圧するポンプを備えたボディと、このボディに回動自在に保持され該ボディの送給経路を経て圧送された液体を外界に向けて噴出する噴射ノズルと、この噴射ノズルに片持ち保持され該噴射ノズルを回動させることによって開状態または閉状態に選択的に切り換えるロックアームとを備えたトリガー式液体噴出器であって、
前記ボディに、そのほぼ全域を噴射ノズルとともに覆い隠すシュラウドを配置し、このシュラウドに、噴射ノズルの回動に伴うロックアームの移動を許容する細長い切り欠と、噴射ノズルの開閉状態をそれぞれ表示する窓孔を設けたことを特徴とするトリガー式液体噴出器である。
【０００９】
前記ロックアームは、噴射ノズルの閉状態で操作レバーとボディとの相互間に介在して操作レバーの牽曳を阻止する係止片を有するものが望ましい。
【００１０】
また、切り欠は、噴射ノズルの開状態でロックアームをシュラウドに係止する係止片を有するものが好ましく、噴射ノズルの開閉状態を表示する印字は、噴射ノズルの外面またはロックアームの何れかに設けることができるものであり、噴射ノズルの開閉状態のそれぞれで異なる色彩を付与するのがよい。
【００１１】
【発明の実施の形態】
以下、図面を用いて本発明をより具体的に説明する。
【００１２】
図１、図２は本発明に従うトリガー式液体噴出器の実施の形態を外観で示したものであり、図１は噴射ノズルが閉状態（液体の噴出は不可）にある場合を、また、図２は噴射ノズルが開状態（液体の噴出は可）にある場合をそれぞれ示す。
【００１３】
図における番号１は容器の口部に保持されるねじ止め式あるいはアンダーカット式のベースキャップ、２はベースキャップ１を回転可能に保持するボディである。このボディ２は図示はしないが、ピストン及びシリンダからなり、容器内の液体を吸引、加圧するためのポンプが組み込まれている。
【００１４】
また、３はボディ２に枢支軸を介して揺動可能に弾性支持された操作レバー、４はボディ２に回動自在に保持されボディ２の送給経路を経て圧送された外界へ向けて噴出させる噴射ノズル、５は噴射ノズル４に片持ち保持され該ノズル４を回動させることによって開状態、閉状態の何れかを選択的に切り換えるロックアーム、６はボディ２を噴射ノズル４とともに覆い隠すシュラウド（カバー）であり、このシュラウド６には、噴射ノズル４の回動に伴うロックアーム５の移動を許容するための細長い切り欠６ａと、噴射ノズル４の外面またはロックアーム５の基部に設けた印字を露出させて該噴射ノズル４が開状態にあるか閉状態にあるかをそれぞれ表示するための窓孔６ｂが設けられている。
【００１５】
また、図２における７はロックアーム５の先端部内側面に一体的に設けられた例で示したブロック状の係止片である。この係止片７は噴射ノズル４を閉状態にすべくロックアーム５を最も下端に押し下げた状態で操作レバー３とボディ２との相互間に介在して操作レバー３の牽曳を阻止するようになっている。
【００１６】
図１に示す状態は、噴射ノズル４とボディ２の送給経路は遮断されており（図示せず）、しかもロックアーム５に設けられた係止片７は操作レバー３とボディ２の相互間に位置していることから液体の噴出は不可能であり、この時、シュラウド６の窓孔６ｂからは閉の印字が表示されるため、目視でもって閉状態にあることが簡単に識別できる。
【００１７】
一方、図２に示す状態は、噴射ノズル４を回動させるべく、ロックアーム５を切り欠６ａに沿って図面の上方へと移動させて該噴射ノズル４をボディ２の送給経路と連通させた場合であり、この時、シュラウド６の窓孔６ｂからは開の印字が表示されることとなり、目視でもって開状態にあることが簡単に識別できる。
【００１８】
印字は開閉状態のそれぞれにつき、異なる色彩を付与することでその識別がより簡単になる。
【００１９】
図３は、シュラウド６の切り欠６ａを拡大して示したものである。切り欠６ａの行き止まり端（上端）近傍域に図３に示す如き凸状の係止片８を設け、より好ましくはロックアーム５に該係止片８に嵌合する凹部を設けて噴射ノズル４が開状態でロックアーム５をシュラウド６に位置決めすることにより液体の噴出姿勢が確実に保たれる。
【００２０】
ロックアーム５をシュラウド６に位置決めするに当たっては、上掲図３に示したものの他、図４（ａ）（ｂ）に示すようにシュラウド６の外表面に突起部９を設け、ロックアーム５に湾曲部５ａを形成するとともにこの湾曲部５ａに係止部を設けてシュラウド６の突起部９とロックアーム５の係止部とを係合させることで位置決めするようにしてもよく、位置決め手段については、図３に示したものに限定されない。とくに、図４に示した構成のものは図３に示したものと比較して切り欠６ａの長さを短くすることができるのでシュラウド６の剛性を高めることが可能になる。
【００２１】
【発明の効果】
本発明によれば、噴射ノズルを保護するシュラウドが配置されていてもロックアームの姿勢にかかわりなく噴射ノズルが開状態にあるか閉状態にあるかを印字によって確実に識別することが可能であり使い勝手が著しく改善される。
【図面の簡単な説明】
【図１】噴射ノズルが閉状態にある本発明に従う液体噴出器の外観斜視図である。
【図２】噴射ノズルが開状態にある本発明に従う液体噴出器の外観斜視図である。
【図３】シュラウドの要部を拡大して示した図である。
【図４】位置決め手段に関する具体的な構成を示したものであり、（ａ）はシュラウドの要部形状を示したものであり、（ｂ）はロックアームの係止部とシュラウドの突起部を係合させて位置決めした状態を示した図である。
【符号の説明】
１  ベースキャップ
２  ボディ
３  操作レバー
４  噴射ノズル
５  ロックアーム
５ａ  湾曲部
６  シュラウド
６ａ  切り欠
６ｂ  窓孔
７  係止片
８  係止片
９  突起部
【図１】
2004230326.tif 000003
【図２】
2004230326.tif 000004
【図３】
2004230326.tif 000005
【図４】
2004230326.tif 000006